(57)【要約】【課題】原子力設備の構成部材を、水と水に混入された研磨剤との混合物による切断法で解体した時に発生する放射性二次廃棄物を著しい低コストで処理できる方法を提供する。【解決手段】原子力設備の構成部材を水と水に混入された研磨剤との混合物で行なわれる切断法で解体した時に発生する放射性二次廃棄物を処理する方法において、この放射性二次廃棄物（S）が非汚染コンクリート（R）に混入され、この混合コンクリートを放射性一次廃棄物が容れられた最終保管用の容器（２）に注入する。【選択図】図１
2013195427.tif 000002
【特許請求の範囲】
【請求項１】
原子力設備の構成部材を水と水に混入された研磨剤との混合物による切断法で解体した時に発生する放射性二次廃棄物を処理する方法であって、この二次廃棄物（S）が非汚染コンクリート（R）に混入され、この混合コンクリートが放射性一次廃棄物が容れられた最終保管用の容器（２）に注入される放射性二次廃棄物の処理方法。
【請求項２】
上記切断時に発生する二次廃棄物（S）が吸い上げられ、分離器で機械的に分離され、事前の乾燥なしに、研磨剤と切断部物質とからなる流動性の混合物として非汚染コンクリート（R）に混入される請求項１に記載の方法。
【請求項３】
二次廃棄物（S）が押出機（１２）の中で非汚染コンクリート（R）と混合され、この押出機（１２）によって容器（１２）に供給される請求項１または２に記載の方法。
【請求項４】
二次廃棄物（S）と非汚染コンクリート（R）とからなる混合コンクリートの硬化後の破壊強度が少なくとも１０N／ｍｍ2である請求項１から３のいづれか１つに記載の方法。
【請求項５】
前記容器（２）の上部領域が非汚染コンクリート（R）で充填される請求項１から４の１つに記載の方法。
【請求項６】
前記容器（２）が鋼製容器であり、その内壁が事前に非汚染コンクリート（R）で内張りされている請求項１から５のいづれか１つに記載の方法。
【発明の詳細な説明】
【技術分野】
【０００１】
本発明は、原子力設備の構成部材を、水と水に混入された研磨剤との混合物を高圧力下で供給して行なわれる切断法で解体した時に発生する放射性二次廃棄物の処理方法に関する。
【背景技術】
【０００２】
原子力設備を廃炉にする場合には、原子炉圧力容器やこの容器内に取付けられた部品などの高度に汚染された、あるいは高活性度の構成部材は放射線防護の理由から水中で熱的な、あるいは機械的な分離方法により解体されなければならない。鋸切断やフライス切断のようないわゆる低温の機械的分離法の他に、水・研磨剤懸濁液切断法（WASS法）または水・研磨剤噴射切断法（WAIS法）とも呼ばれる分離方法が使用され、この切断法では水と水に混入された研磨剤とが加圧噴射され、構成部材の解体に使用される。切断時には切断面結合物質が一緒に出てくるので、汚染金属物質あるいは活性金属物質と研磨剤との混合物が発生する。WASSあるいはWAISと略記される上記の分離方法の利点は、解体中に構成部材の溶接部において開放される機械的な応力、特に鋸切断において鋸刃または鋸チェーンを固着させることがある応力に対し柔軟性が高く、影響を受けにくいことにある。
【０００３】
しかし、この水噴射切断法の重大な欠点は、その際に発生する二次廃棄物である。この二次廃棄物は、研磨剤と切断時に切除される切断部物質とで形成され、その重量は、最も不都合な場合には、解体された構成部材の自重とほぼ同一オーダーである。この二次廃棄物は解体領域で水槽の底から流体サイクロンで吸い出され、そこで遠心分離機により水分離される。この分離された混合物は、通常は珪砂である研磨剤の他に、切断部断面からの汚染物質あるいは活性物質を含むので、この混合物は放射性廃棄物として処理されなければならず、その調整のために多額の費用と多数の最終保管容器が必要となる。
【発明の概要】
【発明が解決しようとする課題】
【０００４】
そこで本発明の課題は、原子力設備の構成部材を、水と水に混入された研磨剤との混合物による切断法で解体した時に発生する放射性二次廃棄物を著しい低コストで処理できる方法を提供することにある。
【課題を解決するための手段】
【０００５】
この課題は本発明により、請求項１に記載の特徴を備えた方法により解決される。本方法では研磨剤と解体された構成部材の切断部物質との混合物からなる放射性二次廃棄物が非汚染コンクリートに混入され、この混合コンクリートが放射性一次廃棄物の最終保管容器に注入される。
【０００６】
本発明は、解体時に発生する研磨剤と切断部物質の混合物を、放射性一次廃棄物を容れた最終保管容器、または中間保管容器に注入される非汚染コンクリート(Reinbeton)、すなわち、放射線で汚染されていないコンクリートに、現行の放射線防護基準を守ることが保証される程度に混入することができるという考えに基づいており、これによりWASS法あるいはWAIS法で発生する放射性二次廃棄物の処理のための経費と保管の必要性を低減することができる。
【０００７】
切断時に発生する二次廃棄物を解体水槽の清掃時に吸い出し、遠心分離機で機械的に分離し、事前に乾燥することなく、研磨剤と切断部物質とからなる流動性混合物として非汚染コンクリートに混入すれば、二次廃棄物の処理経費の更なる低減が達成される。
【０００８】
本方法の別の有利な実施形態によれば、この二次廃棄物は押出機の中で非汚染コンクリートと混合され、この押出機により保管容器に注入される。
【０００９】
二次廃棄物の混入量は、この二次廃棄物と非汚染コンクリートとの混合コンクリートの硬化後の破壊強度が少なくとも１０N／mm2となるような量だけ、二次非汚染コンクリートに混入するのが望ましい。
【００１０】
本方法の別の有利な実施形態によれば、前記容器はその上部を非汚染コンクリートで充填するのが望ましく、これによって、容器外部の放射線量を低減できるだけでなく、容器の取外し可能な閉鎖蓋に対して汚染のない閉鎖を保証することができる。
【００１１】
この容器は好ましくは鋼製容器であり、その内壁が予め非汚染コンクリートで固められている。
図により本発明を詳細に説明する。
【図面の簡単な説明】
【００１２】
【図１】本発明による混合コンクリートを充填中の容器の概略断面図。
【００１３】
図１によれば、ほぼ長方形の箱状の容器２の中に、原子力設備の構成部材を解体した時にでた多数の切断された部材４が入っている。この容器２は鋼製外被６を有し、その内壁は５〜１５ｃｍの厚さの非汚染コンクリートで内張りされている。これら複数の切断された部材４の間の空洞部８に混合コンクリート１０が充填される。この混合コンクリート１０は非汚染コンクリートと、研磨剤および切断部物質を含んだ二次廃棄物Sとの混合物である。このために、押出機１２に供給された流動性を有する非汚染コンクリートRに二次廃棄物Sが混入され、フレキシブルホース１４を通って遠隔操作で容器２に導かれる。
【００１４】
処理する二次廃棄物Sの量を低減すべく、水・研磨剤懸濁液切断法で発生し、解体領域から吸い出された、未だ水を含んだ二次廃棄物Sは遠心分離機で機械的に水分離され、これにより、この二次廃棄物Sを研磨剤と切断部物質とからなる流動性を有する混合物として、事前に乾燥する必要なしに、押出機１２に供給することができる。
【００１５】
最大許容充填高さよりも低い、予め決められた充填高さHに達すると、二次廃棄物Sの供給は停止される。容器２の上部領域Bは非汚染コンクリートRの層で密封されるので、一般に同様に事前にコンクリート固化された蓋が無くなるという最も考えにくいケースでも、汚染された混合コンクリート１０が外部領域に露出することはない。
【符号の説明】
【００１６】
２        容器
４        解体済みの切断部材
６        鋼製外被
８        空洞部
１０        混合コンクリート
１２        押出機
１４        ホース
S        二次廃棄物
R        非汚染コンクリート
H        容器の高さ
【図１】
2013195427.tif 000003